(57)【要約】【課題】  接続されたスキャナ装置１００及び印刷装置１１０のそれぞれが、各々独自の表示部１０４、１１６を有しているために、使用者は、双方のメッセージを確認しなければならず、使い勝手が悪くなるのを排除する。【解決手段】  表示部１０４は、複数の構成機器が個々に生成するメッセージを表示し、表示選択部１０６は、上記メッセージを統合する統合メッセージを表示する統合表示手段を選択し、メッセージ変換部１０８は、上記メッセージを所定の符号に変換し、表示制御部１０７は、上記所定の符号を受入れて上記統合表示手段としての表示部１０４に表示する。【選択図】        図１
2008141375.tif 000002
【特許請求の範囲】
【請求項１】
第１、第２の表示部と、
メッセージを表示する表示部を前記第１、第２の表示部から選択する表示選択部と、
前記表示選択部で選択された表示部に応じて、前記第１、第２の表示部に表示すべきメッセージを変換する変換部とを有し、
前記表示選択部で選択された前記第１または第２の表示部は、前記変換部で変換されたメッセージを表示することを特徴とする表示制御装置。
【請求項２】
前記第１の表示部は、画像形成装置に設けられた表示部であり、
前記第２の表示部は、読取装置に設けられた表示部であることを特徴とする請求項１に記載の表示制御装置。
【請求項３】
前記表示選択部は、スイッチ操作部からなり、
使用者が前記スイッチ操作部を操作することにより表示部を選択することを特徴とする請求項１に記載の表示制御装置。
【請求項４】
前記表示選択部において、
表示部を両方または一方または排他的に選択することを特徴とする請求項１に記載の表示制御装置。
【請求項５】
第１、第２の表示部と、
前記第１、第２の表示部それぞれの仕様情報を格納する格納部と、
前記格納部に格納さけた前記仕様情報に基づいて、メッセージを表示する表示部を前記第１、第２の表示部から選択する表示選択部とを有することを特徴とする表示制御装置。
【請求項６】
前記格納部に格納された前記仕様情報は、前記第１、第２の表示部の位置情報、表示領域情報情報のうち少なくとも１つを有することを特徴とする請求項５に記載の表示制御装置。
【請求項７】
前記第１、第２の表示部は、それぞれに対応して第１、第２の情報入力部を有し、前記表示選択部で選択された表示部に対応する情報入力部で、選択されなかった他方の情報入力部の機能が可能となることを特徴とする請求項１から請求項６の何れか一項に記載の表示制御装置。
【請求項８】
ネットワークに接続された第１の装置に設けられた第１の表示部と、
前記ネットワークに接続された第２の装置に設けられた第２の表示部と、
前記第１の装置及び第２の装置の動作に応じて、メッセージを表示する表示部を前記第１の表示部と、前記第２の表示部から選択する表示選択部とを有し、
前記表示選択部で選択された前記第１または第２の表示部に、前記動作に基づくメッセージが表示されることを特徴とする表示制御システム。
【請求項９】
前記第１の装置および第２の装置は、画像処理装置であることを特徴とする請求項８に記載の表示制御システム。
【発明の詳細な説明】
【技術分野】
【０００１】
この発明は、メッセージを表示する表示部を２つ以上備えた表示制御装置および表示制御システムに関するものである。
【背景技術】
【０００２】
印刷装置、ファクシミリ装置、スキャナ装置等は、それぞれの装置状態等を表示するために、表示部を有している。一方、近年これらの装置を複数接続し、多機能装置として使用する場合もある。例えば、印刷装置にスキャナ装置を取り付けて、１台の印刷機能つきスキャナ装置として使用する場合等である。この場合には、印刷装置、及びスキャナ装置の各々が、それぞれの装置状態等を表示するための表示部を有している。使用者はこれらの表示部に表示されるメッセージを確認し、印刷装置やスキャナ装置の状態を確認したり、操作を行ったりしている。
【特許文献１】特開２０００−２９５３９９号公報
【発明の開示】
【発明が解決しようとする課題】
【０００３】
しかしながら、接続された装置のそれぞれが、各々独自の表示部を有しているために、使用者は、双方の表示部のメッセージを確認しなければならず、使い勝手が悪くなるという解決すべき課題が残されていた。
【課題を解決するための手段】
【０００４】
本発明による表示制御装置は、第１、第２の表示部と、メッセージを表示する表示部を上記第１、第２の表示部から選択する表示選択部と、上記表示選択部で選択された表示部に応じて、上記第１、第２の表示部に表示すべきメッセージを変換する変換部とを有し、上記表示選択部で選択された上記第１または第２の表示部は、上記変換部で変換されたメッセージを表示することを主要な特徴とする。
【発明の効果】
【０００５】
本実施例の表示制御装置によれば、接続された装置のそれぞれにメッセージを表示する表示手段が備わっていても、表示選択部が選択する表示手段のみにメッセージが表示され他の表示手段には表示をさせないため、装置から使用者へのメッセージは一意となり、使用者は両方のメッセージを確認する必要がなくなり使い勝手が良くなるという効果を得る。
【発明を実施するための最良の形態】
【０００６】
本発明による表示制御装置は以下のように構成される。
【実施例１】
【０００７】
図１は、実施例１の表示制御装置の構成の機能ブロック図である。
図に示すように実施例１の表示制御装置は、１例としてスキャナ装置１００と、印刷装置１１０とがＵＳＢ接続部１３５で通信接続され、構成されている。
【０００８】
スキャナ装置１００は、読取部１０１と、主制御部１０２と、パネル制御部１０３と、表示部１０４と、操作部１０５と、表示選択部１０６と、表示制御部１０７と、メッセージ変換部１０８と、データ通信部１０９とを備える。
【０００９】
読取部１０１は、例えば、オートフィーダにセットされた原稿を搬送しながら原稿画像を読み取る部分である。主制御部１０２は、読取部１０１で読取った画像データを編集すると共にスキャナ装置全体を制御する部分である。パネル制御部１０３は、表示部１０４と操作部１０５と表示選択部１０６とを制御する部分である。又、表示部１０４と操作部１０５と表示選択部１０６とを介して使用者の意向を受入れる部分でもある。表示部１０４は、装置状態やメニューを表示して使用者に報知する部分である。操作部１０５は、ユーザからの指示を入力するスイッチである。
【００１０】
表示選択部１０６は、使用者に対して、スキャナ装置１００の表示部１０４又は印刷装置１１０の表示部１１６の何れか一方を操作部１０５にて選択させる部分である。表示制御部１０７は、スキャナ装置１００における表示メッセージの抽出と、その表示先を設定する部分である。メッセージ変換部１０８は、スキャナ装置１００のメッセージを印刷装置１１０で表示する際のメッセージ変換を行う部分である。データ通信部１０９は、ＵＳＢ接続部１３５を介してスキャナ装置１００と印刷装置１１０とのデータの受け渡しを行う部分である。
【００１１】
印刷装置１１０は、受信部１１１と、画像形成部１１２と、印刷部１１３と、主制御部１１４と、パネル制御部１１５と、表示部１１６と、操作部１１７と、表示選択部１１８と、表示制御部１１９と、メッセージ変換部１２０と、データ通信部１２１とを備える。
【００１２】
受信部１１１は、Ｎｅｔｗｏｒｋ等で接続された上位装置からデータを受信する部分であり、ここではコンピュータ１３０やスキャナ装置１００から送信された原稿データを受信する部分である。画像形成部１１２は、上位装置から受信した原稿データを印刷データに変換する部分であり、ここでは受信部１１１で受信した原稿データ等から印刷データの形成を行う部分である。印刷部１１３は、印刷データに応じて、用紙にトナー画像を形成する部分であり、ここでは画像形成部１１２で形成された印刷データを印刷する部分である。
【００１３】
主制御部１１４は、印刷装置全体を制御する部分である。パネル制御部１１５は、表示部１１６と操作部１１７と表示選択部１１８とを制御する部分である。表示部１１６は、装置状態やメニューを表示して使用者に報知する部分である。操作部１１７は、ユーザからの指示を入力するスイッチである。表示選択部１１８は、使用者に対して、スキャナ装置１００の表示部１０４又は印刷装置１１０の表示部１１６の何れか一方を操作部１１７にて選択させる部分である。表示制御部１１９は、印刷装置１１０における表示メッセージの抽出とその表示先を設定する部分である。メッセージ変換部１２０は、印刷装置１１０のメッセージをスキャナ装置１００で表示する際のメッセージ変換を行う部分である。
【００１４】
実施例１の動作について説明する。印刷装置１１０とスキャナ装置１００とが接続されたときの動作の概要について図１を参照しながら説明し、続いて本発明の解決課題である、接続された装置の何れかの表示部を選択する動作（ここでは１例として使用者が印刷装置１１０の操作部１１７からスキャナ装置１００の表示部１０４を選択する）の詳細についてフローチャートを用いて説明する。
【００１５】
先ず動作の概要について説明する。印刷装置１１０とスキャナ装置１００は印刷装置１１０のデータ通信部１２１とスキャナ装置１００のデータ通信部１０９とを介してＵＳＢ接続部１３５によりデータの送受信を行っている。原稿データは、スキャナ装置１００の読取部１０１によって読み取られ、データ通信部１０９を介して印刷装置１１０に送信される。印刷装置１１０は原稿データをデータ通信部１２１を介して受信部１１１で受け取る。この原稿データは、画像形成部１１２で、データ解析され、印刷データに変換され、印刷部１１３で印刷出力される。
【００１６】
続いて何れかの表示部を選択する動作について説明する。
図２は、実施例１の表示部を選択する動作を示すフローチャートである。
動作説明の前提条件として、印刷装置１１０とスキャナ装置１００とがＵＳＢ接続部１３５を通して物理的に接続され、スキャナ装置１００は印刷装置１１０の電源が入ると同時に電源が入るようになっているものとする。また、印刷装置の表示部１１６（図１）には横１６文字×縦４文字、スキャナ装置の表示部１０４（図１）には横２４文字×縦４文字の表示が可能であるものとする。更に、表示部の選択に関しては、印刷装置１１０の操作部（操作キー）１１７（図１）から指定してスキャナ装置１００の表示部１０４（図１）を選択するものとする。以下に表示部を選択する動作について図１を併用しながらステップＳ１０１からステップＳ１１１までステップ順に説明する。
【００１７】
ステップＳ１０１
オペレータが印刷装置１１０の電源をオンすると、スキャナ装置１００の電源も自動的にオンされる。
【００１８】
ステップＳ１０２
印刷装置１１０の表示部１１６とスキャナ装置１００の表示部１０４のそれぞれに初期画面表示がなされる（“Ｉｎｉｔｉａｌｉｚｉｎｇ”等）。
【００１９】
ステップＳ１０３
装置の接続状況が確認され接続がある場合にはステップＳ１０４へ進み、接続が無い場合にはステップＳ１０６へ進む。（ここでは印刷装置１１０とスキャナ装置１００とが接続状態であるので、Ｓ１０４へ進むことになる。）
【００２０】
ステップＳ１０４
印刷装置１１０とスキャナ装置１００の両方の表示部１１６、１０４に、それぞれの表示制御部１０７、１１９によって、表示部の選択を促すメッセージがそれぞれ表示される。ここでその表示例について説明する。
図３は、印刷装置での表示例説明図である。
図４は、スキャナ装置での表示例説明図である。
印刷装置の表示部１１６での表示例を図３に、また、スキャナ装置の表示部１０４での表示例を図４に示す。ここでは、表示部の選択は現在使用中の装置「ゲンザイノソウチ」、他の接続されている装置「タノ  ソウチ」、表示する装置を選択しない「センタクフヨウ」の３つのモードから選択可能であり、両図に示すようにそれぞれの装置の操作キーに、表示部選択の意味を割り当てておく。つまり、図３によりＥＮＴＥＲキーが押下されると、印刷装置１１０が表示部として選択されＯＮＬＩＮＥキーが押下されるとスキャナ装置１００が選択されることに成る。装置使用者は指示されたキーを押下することにより表示部の選択終了とする。また、装置使用者が表示部の選択をしなくても、表示選択を促すメッセージを表示後に一定時間が経過すると表示部の選択終了とする。
【００２１】
ステップＳ１０５
表示制御部１０７、１１９は、装置使用者が表示選択を行ったか、一定時間表示から時間がたつかを判定してステップＳ１０７へ進む。ここでは、一定時間たたず、使用者の選択も行われない場合はステップＳ１０４に戻り処理を繰り返す。表示選択がいずれかの装置から行われた場合は、使用者の選択が行われたと判断し、ステップＳ１０７へ進む。（ここでは、印刷装置の操作キーからスキャナ装置の表示部を選択するので、印刷装置１１０のＯＮ−ＬＩＮＥキーが押下される。）
【００２２】
ステップＳ１０６
表示選択モードを「センタクフヨウ」に設定する。
【００２３】
ステップＳ１０７
表示制御部１０７、１１９は、選択されたモードを判断し、印刷装置１１０の表示部１１６が選択されている場合にはステップＳ１０８へ進む。スキャナ装置１００の表示部１０４が選択されているの場合にはステップＳ１１０へ進む。「センタクフヨウ」が選択されている場合には、メッセージの送り先の変更を行わないため、印刷装置１１０、スキャナ装置１００、それぞれのメッセージが、それぞれの表示部１１６、１０４にて表示されるようになる。またステップＳ１０５にて使用者がいずれのモードも選択しなかった場合（表示部にメッセージを表示したあと、選択キーを押下しないまま一定時間経過した場合）は、本実施例ではスキャナ装置１００の表示部１０４を選択したときと同じとする。更に、ステップＳ１０３にて、接続装置がないと判断された場合は、ステップＳ１０６にて、表示部の選択不要モードと設定し、ステップＳ１０７に進み、以降前述の表示部の選択不要、と判断された場合の動作と同じ動作を行う（ここでは、スキャナ装置１００の表示部１０４が選択されているのでステップＳ１１０へ進む。）。
【００２４】
ステップＳ１０８
表示制御部１０７は、表示部１０４の電流を切断する。
【００２５】
ステップＳ１０９
表示制御部１０７は、スキャナ装置１００の表示メッセージの送り先をデータ通信部１０９に設定する。これにより、印刷装置１１０の表示部１１６は、通常の印刷装置の必要なメッセージを通常通り表示し、スキャナ装置１００からのメッセージが発生した場合にはスキャナ装置１００がデータ通信部１０９、１２１を通してメッセージを印刷装置１１０に送信可能なため、印刷装置の表示部１１６にてメッセージが表示されることになる。
【００２６】
ステップＳ１１０
表示制御部１１９は、表示部１１６の電流を切断する。
【００２７】
ステップＳ１１１
表示制御部１１９は、印刷装置１１０の表示メッセージの送り先をデータ通信部１２１に設定する。これにより、スキャナ装置１００の表示部１０４は、通常のスキャナ装置の必要なメッセージを通常通り表示し、印刷装置１１０からのメッセージが発生した場合には印刷装置１１０がデータ通信部１２１を通してメッセージをスキャナ装置１００に送信可能なため、スキャナ装置１００の表示部１０４にてメッセージが表示されることになる。
【００２８】
続いて、上記フローの中で必要になるメッセージデータの変換処理ついて説明する。
図５は、メッセージデータの変換処理手順を示すフローチャートである。
動作説明の前提として、印刷装置１１０に用紙が無かったとして、用紙がない状況のメッセージを表示する場合について説明する。以下にメッセージ変換部１０８、１２０の動作について図１を併用しながらステップＳ２０１からステップＳ２０７までステップ順に説明する。
【００２９】
ステップＳ２０１
印刷装置１１０の用紙格納箇所にあるセンサにより、主制御部１１４が用紙切れを認識する。
【００３０】
ステップＳ２０２
表示制御部１１９は用紙切れに対応したメッセージ、例えば「ヨウシガ  アリマセン」を選択・発生する。
【００３１】
ステップＳ２０３
メッセージ変換部１２０は、予め保持する印刷装置用の変換テーブルを用いてメッセージを対応するコードに変換する。ここで変換テーブルの一例について説明する。
図６は、印刷装置用の変換テーブル説明図である。
図に示すように、表示メッセージに対応するコードが設定されている。ここでは、表示メッセージが「ヨウシガ  アリマセン」なので、コード“０ｘ１００”に変換される。
【００３２】
ステップＳ２０４
変換されたコードは、データ通信部１２１を介してスキャナ装置１００に送られる。
【００３３】
ステップＳ２０５
データ通信部１０９は、変換されたコードを受信する。
【００３４】
ステップＳ２０６
メッセージ変換部１０８は、予め保持する図６と同様のスキャナ装置用の変換テーブルを用いて入力されたコードをメッセージに変換する。ここで変換テーブルの一例について説明する。
図７は、スキャナ装置用の変換テーブル説明図である。
図６と同様に表示メッセージに対応するコードが設定されている。ここでは、入力コードが“０ｘ１００”なので、表示メッセージ「ヨウシガ  アリマセン」に変換される。
【００３５】
ステップＳ２０７
メッセージ変換部１０８は、メッセージを表示制御部１０７（Ｓ５０７）へ送り、パネル制御部１０３が表示部１０４に表示させてフローを終了する。
【００３６】
尚、本実施例ではメッセージを変換する変換テーブルをスキャナ装置１００と印刷装置１１０のそれぞれに持つようにし、メッセージ変換部もテーブルと一緒にそれぞれの装置に配したが、メッセージテーブルを１つにまとめることによりメッセージ変換部も１つにし、印刷装置またはスキャナ装置のいずれかに配することも可能である。
図８は、印刷装置及びスキャナ装置共用の変換テーブルである。
図に示すように、１６文字以下表示用メッセージ（印刷装置用）と２４文字以下表示用メッセージ（スキャナ装置用）とが併記されている。
【００３７】
又、「ヨウシガ  アリマセン」の表示は、装置の停止を伴うエラー表示であるため、スキャナ装置が通常表示しているメッセージを消して「ヨウシガ  アリマセン」の表示を行っても問題は発生しない。一方、「トナ−エンド」等のワーニングの場合には、通常表示しているメッセージを消して「トナ−エンド」の表示のみを行うと予期しない問題が発生する可能性もあるので、通常表示しているメッセージと「トナ−エンド」等のワーニングを交互に表示しても良い。
【００３８】
又、上記動作の結果、プリンタ装置の表示部にメッセージが表示されなくなると、故障発生と誤解されるおそれもあるので、所定の間隔毎に「スキャナ表示部参照」等のメッセージを表示するようにしても良い。又、プリンタ装置のスイッチやカバーが開けられると、プリンタ装置の表示部にも表示するようにしても良い。また、本実施例では設けなかったが、メッセージの表示部を一方のみにするのではなく、同じ内容のメッセージを両方の表示部に表示しても良い。また、選択された表示部にはプリンタ／スキャナの情報を表示し、選択されなかった表示部は通常通り表示しても良い。更に、本実施例では、印刷装置とスキャナ装置の二つの装置が接続された場合を例に挙げたが、装置の接続が３つ以上（表示制御システムを構成している）のときも同様にし、表示部選択の際の選択肢を装置接続可能状態に応じて設定すれば良い。
【００３９】
以上説明したように、本実施例の表示制御装置によれば、接続された装置のそれぞれにメッセージを表示する表示部が備わっていても、メッセージをいずれか一方に表示し他方には表示をさせないため、装置から使用者へのメッセージは一意となり、使用者は両方のメッセージを確認する必要がなくなり使い勝手が良くなるという効果を得る。
【実施例２】
【００４０】
図９は、実施例２の表示制御装置の構成の機能ブロック図である。
図に示すように実施例２の表示制御装置は、１例としてスキャナ装置２００と、印刷装置２１０とがＵＳＢ接続部１３５で通信接続され、構成されている。以下に実施例１との相違部分のみについて説明する。実施例１と同様の部分には実施例１と同一の符号を付して説明を省略する。
【００４１】
スキャナ装置２００は、読取部１０１と、主制御部１０２と、表示部１０４と、操作部１０５と、メッセージ変換部１０８と、データ通信部１０９と、パネル制御部２０１と、表示制御部２０２と、表示情報格納部２０３と、表示選択部２０４とを備える。
【００４２】
パネル制御部２０１は、表示部１０４と操作部１０５とを制御する部分である。又、表示部１０４と操作部１０５とを介して使用者の意向を受入れる部分でもある。表示制御部２０２は、表示選択部１０６と表示情報格納部２０３とスキャナ装置２００における図示しない表示メッセージの抽出と表示先を制御する部分である。表示情報格納部２０３は、スキャナ装置２００の表示部１０４に関する仕様情報を格納する部分である。
表示選択部２０４は、スキャナ装置２００および印刷装置２１０のメッセージを表示する表示部１０４の表示を表示情報格納部２０３に格納されている仕様情報に基づき選択する部分である。
【００４３】
印刷装置２１０は、受信部１１１と、画像形成部１１２と、印刷部１１３と、主制御部１１４と、表示部１１６と、操作部１１７と、メッセージ変換部１２０と、データ通信部１２１と、表示制御部２１１と、表示選択部２１２と、表示情報格納部２１３と、パネル制御部２１４とを備える。
【００４４】
表示制御部２１１は、表示選択部２１２と表示情報格納部２１３とを制御し、印刷装置２１０における図示しない表示メッセージの抽出と表示先を制御する部分である。表示情報格納部２１３は、印刷装置２１０の表示部１１６に関する仕様情報が格納してある部分である。表示選択部２１２は、スキャナ装置２００および印刷装置２１０のメッセージを表示する表示部の表示を表示情報格納部２１３に格納されている仕様情報に基づき選択する部分である。パネル制御部２１４は、表示部１１６と操作部１１７とを制御する部分である。
【００４５】
実施例２の動作について説明する。
印刷装置２１０とスキャナ装置２００が接続されたときの動作の概要については、実施例１と同様であるため説明を省略し、本実施例の表示制御装置における表示部の選択についてフローチャートを用いて説明する。
【００４６】
図１０は、実施例２の表示部を選択する動作を示すフローチャートである。
動作説明の前提条件として、印刷装置２１０とスキャナ装置２００とがＵＳＢ接続部１３５を通して物理的に接続され、スキャナ装置２００は印刷装置２１０の電源が入ると同時に電源が入るようになっているものとする。また、印刷装置の表示部１１６（図９）には横１６文字×縦４文字、スキャナ装置の表示部１０４（図９）には横２４文字×縦４文字の表示が可能であるものとする。又、表示部の選択に関しては、印刷装置２１０の操作部（操作キー）１１７（図９）から指定してスキャナ装置２００の表示部１０４（図９）を選択するものとする。
【００４７】
更に、各装置の表示部１０４、１１６の仕様情報を格納する表示情報格納部２０３、２１３には表示情報が次のように格納されているものとする。
図１１は、表示情報格納部２０３の説明図である。
図１２は、表示情報格納部２１３の説明図である。
以下に表示部を選択する動作について図９を併用しながらステップＳ３０１からステップＳ３１３までステップ順に説明する。
【００４８】
ステップＳ３０１
オペレータが印刷装置２１０の電源をオンすると、スキャナ装置２００の電源も自動的にオンされる。
【００４９】
ステップＳ３０２
印刷装置２１０の表示部１１６とスキャナ装置２００の表示部１０４のそれぞれに初期画面表示がなされる。
【００５０】
ステップＳ３０３
装置の接続状況が確認され接続がある場合にはステップＳ３０４へ進み、接続が無い場合には、前述のようなメッセージの送り先の変更を行わないため、印刷装置２１０、スキャナ装置２００、それぞれのメッセージが、それぞれの表示部１１６、１０４にて表示されるようになる。（ここでは印刷装置２１０とスキャナ装置２００とが接続状態であるので、Ｓ３０４へ進むことになる。）
【００５１】
ステップＳ３０４
各装置の表示部１０４、１１６の仕様情報を格納する表示情報格納部２０３、２１３があり、例えばスキャナ装置の表示情報を図１１のように、また印刷装置の表示情報を図１２のようにそれぞれの装置で格納しているものとする。このステップではまず、表示制御部２０２、２１１は、スキャナ装置２００の表示部１０４の横文字数と印刷装置２１０の表示部１１６の横文字数を比較し、印刷装置２１０の表示部１１６の横文字数が大きい場合にはステップＳ３０５へ進み、スキャナ装置２００の表示部１０４の横文字数が大きい場合にはステップＳ３０７へ進み、両方同一の場合にはステップＳ３０９へ進む。（ここではスキャナ装置２００の表示部１０４の横文字数のほうが大きいため、Ｓ３０７に進む。）
【００５２】
ステップＳ３０５
表示制御部２０２は、表示部１０４の電流を切断する。
【００５３】
ステップＳ３０６
表示制御部２０２は、スキャナ装置２００の表示メッセージの送り先をデータ通信部１０９に設定する。これにより、印刷装置２１０の表示部１１６は、通常の印刷装置の必要なメッセージを通常通り表示し、スキャナ装置２００からのメッセージが発生した場合にはスキャナ装置２００がデータ通信部１０９、１２１を通してメッセージを印刷装置２１０に送信可能なため、印刷装置２１０の表示部１１６にてメッセージが表示されることになる。
【００５４】
ステップＳ３０７
表示制御部２１１は、表示部１１６の電流を切断する。
【００５５】
ステップＳ３０８
表示制御部２１１は、印刷装置２１０の表示メッセージの送り先をデータ通信部１２１に設定する。これにより、スキャナ装置２００の表示部１０４は、通常のスキャナ装置の必要なメッセージを通常通り表示し、印刷装置２１０からのメッセージが発生した場合には印刷装置２１０がデータ通信部１２１を通してメッセージをスキャナ装置２００に送信可能なため、スキャナ装置２００の表示部１０４にてメッセージが表示されることになる。
【００５６】
ステップＳ３０９
両装置が接続されるときの位置関係が判断される。ある装置に他の装置が接続されるとき、接続のされ方はその装置の物理的な構造上一意的に決まるため、ある装置と他の装置の接続位置の関係はそれぞれの装置で一意的に決まる（図１１及び図１２の装置仕様情報）。本実施例では、それぞれの接続された装置の位置関係により、上部または前部にある装置のほうが表示部の認識が見やすい場合が多いため、上部または前部に表示部が位置する装置の表示部を優先して選択することとし、印刷装置２１０が上部または前部に接続されている場合にはステップＳ３１０へ進み、スキャナ装置２００が上部または前部に接続されている場合にはステップＳ３１２へ進む。
【００５７】
ステップＳ３１０
表示制御部２０２は、表示部１０４の電流を切断する。
【００５８】
ステップＳ３１１
表示制御部２０２は、スキャナ装置２００の表示メッセージの送り先をデータ通信部１０９に設定する。これにより、印刷装置２１０の表示部１１６は、通常の印刷装置の必要なメッセージを通常通り表示し、スキャナ装置２００からのメッセージが発生した場合にはスキャナ装置２００がデータ通信部１０９、１２１を通してメッセージを印刷装置２１０に送信可能なため、印刷装置２１０の表示部１１６にてメッセージが表示されることになる。
【００５９】
ステップＳ３１２
表示制御部２１１は、表示部１１６の電流を切断する。
【００６０】
ステップＳ３１３
表示制御部２１１は、印刷装置２１０の表示メッセージの送り先をデータ通信部１２１に設定する。これにより、スキャナ装置２００の表示部１０４は、通常のスキャナ装置の必要なメッセージを通常通り表示し、印刷装置２１０からのメッセージが発生した場合には印刷装置２１０がデータ通信部１２１を通してメッセージをスキャナ装置２００に送信可能なため、スキャナ装置２００の表示部１０４にてメッセージが表示されることになる。
【００６１】
尚、本実施例ではメッセージを変換するテーブルをスキャナ装置と印刷装置のそれぞれに持つようにし、メッセージ変換部もテーブルと一緒にそれぞれの装置に配したが、メッセージテーブルを例えば図８のように１つにまとめることによりメッセージ変換部も１つにでき、印刷装置またはスキャナ装置のいずれかに配すれば同様の効果が得られる。また本実施例では、メッセージを表示する表示部を２つの装置のうちどちらか一方を選択して、選択された一方のみに表示を行い他方は表示をしないようにしたが、選択されなかった方の表示部は通常の装置のメッセージを表示するようにしても良い。また、本実施例では、印刷装置とスキャナ装置の二つの装置が接続された場合を例に挙げたが、装置の接続が３つ以上のとき（表示制御システムを構成）も同様にし、表示部選択の際の選択肢を装置接続可能状態に応じて設定すれば良い。
【００６２】
以上説明したように、本実施例による表示制御装置によれば、接続された装置のそれぞれの表示部のうち、表示の見易い方にメッセージが表示されることになるので、実施例１の効果に加えて、より一層使い勝手が良くなるという効果を得る。
【実施例３】
【００６３】
図１３は、実施例３の表示制御装置の構成の機能ブロック図である。
図に示すように実施例３の表示制御装置は、１例としてスキャナ装置３００と、印刷装置３１０とがＵＳＢ接続部１３５で通信接続され、システム構成されている。以下に実施例１との相違部分のみについて説明する。実施例１と同様の部分には実施例１と同一の符号を付して説明を省略する。
【００６４】
スキャナ装置３００は、読取部１０１と、主制御部１０２と、表示部１０４と、操作部１０５と、表示選択部１０６と、表示制御部１０７と、メッセージ変換部１０８と、データ通信部１０９と、パネル制御部３０１と、入力可能情報格納部３０２とを備える。
【００６５】
パネル制御部３０１は、表示部１０４と操作部１０５と表示選択部１０６と入力可能情報格納部３０２とを制御する部分である。又、表示部１０４と操作部１０５と表示選択部１０６と入力可能情報格納部３０２とを介して使用者の意向を受入れる部分でもある。入力可能情報格納部３０２は、操作部１０５より入力可能な情報群を格納しておく部分である。
【００６６】
印刷装置３１０は、受信部１１１と、画像形成部１１２と、印刷部１１３と、主制御部１１４と、表示部１１６と、操作部１１７と、表示選択部１１８と、表示制御部１１９と、メッセージ変換部１２０と、データ通信部１２１と、パネル制御部３１１と、入力可能情報格納部３１２とを備える。
【００６７】
パネル制御部３１１は、表示部１１６と操作部１１７と表示選択部１１８と入力可能情報格納部３１２とを制御する部分である。又、表示部１１６と操作部１１７と表示選択部１１８と入力可能情報格納部３１２とを介して使用者の意向を受入れる部分でもある。入力可能情報格納部３１２は、操作部１１７より入力可能な情報群を格納しておく部分である。
【００６８】
実施例３の動作について説明する。
印刷装置３１０とスキャナ装置３００とが接続されたときの動作の概要については、実施例１と同様であるため説明を省略し、本実施例の表示制御装置における表示部の選択についてフローチャートを用いて説明する。
【００６９】
図１４は、実施例３の表示部を選択する動作を示すフローチャートである。
動作説明の前提条件として、印刷装置３１０とスキャナ装置３００とがＵＳＢ接続部１３５を通して物理的に接続され、スキャナ装置３００は印刷装置３１０の電源が入ると同時に電源が入るようになっているものとする。また、印刷装置の表示部１１６（図１３）には横１６文字×縦４文字、スキャナ装置の表示部１０４（図１３）には横２４文字×縦４文字の表示が可能であるものとする。又、表示部の選択に関しては、印刷装置２１０の操作部（操作キー）１１７（図１３）から指定してスキャナ装置３００の表示部１０４（図１３）を選択するものとする。以下に表示部を選択する動作について図１３を併用しながらステップＳ４０１からステップＳ４１３までステップ順に説明する。
【００７０】
ステップＳ４０１
オペレータが印刷装置３１０の電源をオンすると、スキャナ装置３００の電源も自動的にオンされる。
【００７１】
ステップＳ４０２
印刷装置３１０の表示部１１６とスキャナ装置３００の表示部１０４のそれぞれに初期画面表示がなされる。
【００７２】
ステップＳ４０３
装置の接続状況が確認され接続がある場合にはステップＳ４０４へ進み、接続が無い場合にはステップＳ４０６へ進む（ここでは印刷装置３１０とスキャナ装置３００とが接続状態であるので、Ｓ４０４へ進むことになる。）。
【００７３】
ステップＳ４０４
印刷装置３１０とスキャナ装置３００の両方の表示部１１６、１０４に、それぞれの表示制御部１０７、１１９によって、表示部の選択を促すメッセージがそれぞれ表示される。その表示例については既に実施例１で図３及び図４を用いて説明した内容と同様である。ここでは、表示部の選択は現在使用中の装置「ゲンザイノソウチ」、他の接続されている装置「タノ  ソウチ」、表示する装置を選択しない「センタクフヨウ」の３つのモードから選択可能であり、両図に示すようにそれぞれの装置の操作キーに、表示部選択の意味を割り当てておく。装置使用者は指示されたキーを押下することにより表示部の選択終了とする。また、装置使用者が表示部の選択をしなくても、表示選択を促すメッセージを表示後に一定時間が経過すると表示部の選択終了とする。
【００７４】
ステップＳ４０５
表示制御部１０７、１１９は、装置使用者が表示選択を行ったか、一定時間表示から時間がたつかを判定してステップＳ４０７へ進む。ここでは、一定時間たたず、使用者の選択も行われない場合はステップＳ４０４に戻り処理を繰り返す。表示選択がいずれかの装置から行われた場合は、使用者の選択が行われたと判断し、ステップＳ４０７へ進む。（ここでは、印刷装置の操作キーからスキャナ装置の表示部を選択するので、印刷装置３１０のＯＮ−ＬＩＮＥキーが押下される。）
【００７５】
ステップＳ４０６
表示制御部１０７、１１９は、装置接続がないので「センタクフヨウ」を設定してステップＳ４０７へ進む。
【００７６】
ステップＳ４０７
表示制御部１０７、１１９は、選択されたモードを判断し、印刷装置３１０の表示部１１６が選択されている場合にはステップＳ４０８へ進む。スキャナ装置３００の表示部１０４が選択されているの場合にはステップＳ４１１へ進む。「センタクフヨウ」が選択されている場合には、メッセージの送り先の変更を行わないため、印刷装置３１０、スキャナ装置３００、それぞれのメッセージが、それぞれの表示部１１６、１０４にて表示されるようになる。またステップＳ４０５にて使用者がいずれのモードも選択しなかった場合（表示部にメッセージを表示したあと、選択キーを押下しないまま一定時間経過した場合）は、本実施例ではスキャナ装置３００の表示部１０４を選択したときと同じとする。更に、ステップＳ４０３にて、接続装置がないと判断された場合は、ステップＳ４０６にて、表示部の選択不要モードと設定し、ステップＳ４０７に進み、以降前述の表示部の選択不要、と判断された場合の動作と同じ動作を行う（ここでは、スキャナ装置３００の表示部１０４が選択されているのでステップＳ４１１へ進む。）。
【００７７】
ステップＳ４０８
表示制御部１０７は、スキャナ装置３００の表示メッセージの送り先をデータ通信部１０９に設定する。これにより、印刷装置３１０の表示部１１６は、通常の印刷装置３１０の必要なメッセージは通常通り表示し、スキャナ装置３００からのメッセージが発生した場合はスキャナ装置３００がデータ通信部１０９、１２１を通してメッセージを印刷装置３１０に送信可能なため、印刷装置の表示部１１６にてメッセージが表示される。
【００７８】
ステップＳ４０９
印刷装置３１０はスキャナ装置３００の入力可能情報格納部３０２をデータ通信部１２１、１０９を介して取得する。
【００７９】
ステップＳ４１０
表示制御部１０７は、スキャナ装置３００の表示部１０４の電流を切り、無駄な電力を消費しないようにする。
【００８０】
ステップＳ４１１
表示制御部１１９は、印刷装置３１０の表示メッセージの送り先をデータ通信部１２１に設定する。これにより、スキャナ装置３００の表示部１０４は、通常のスキャナ装置３００の必要なメッセージは通常通り表示し、印刷装置３１０からのメッセージが発生した場合は印刷装置３１０がデータ通信部１２１、１０９を通してメッセージをスキャナ装置３００に送信可能なため、スキャナ装置３００の表示部１０４にてメッセージが表示される。
【００８１】
ステップＳ４１２
スキャナ装置３００は印刷装置３１０の入力可能情報格納部３１２をデータ通信部１２１、１０９を介して取得する。
【００８２】
ステップＳ４１３
表示制御部１１９は、印刷装置３１０の表示部１１６の電流を切り、無駄な電力を消費しないようにする。
【００８３】
尚、上記ステップＳ４０７にて表示部の選択不要、と判断された場合は、前述のようなメッセージの送り先の変更を行わないため、印刷装置３１０、スキャナ装置３００、それぞれのメッセージが、それぞれの表示部１１６、１０４にて表示されるようになる。又、上記ステップＳ４０７にて使用者がいずれのモードも選択しなかった場合（表示部にメッセージを表示したあと、選択キーを押下しないまま一定時間経過した場合）は、本実施例ではスキャナ装置３００の表示部１０４を選択したときと同じとする。
【００８４】
また、上記ステップＳ４０３にて、接続装置がないと判断された場合は、ステップＳ４０６にて、表示部の選択不要モードと設定し、ステップＳ４０７に進み、以降前述の表示部の選択不要、と判断された場合の動作と同じ動作を行う。
【００８５】
ここで、入力可能情報格納部の内容について説明する。
図１５は、入力可能情報格納部の内容説明図である。
図は、印刷装置３１０の入力可能情報格納部３１２の内容を表している。入力可能情報格納部３１２に格納される情報は、例えば図に示すテーブルのような形式で構成されている。まず印刷装置の入力可能情報群全体の格納場所を物理的に管理し、その先頭が例えば０ｘＡＡＡＡ００００という場所であることを示している。
【００８６】
印刷装置３１０の入力可能情報が内容に応じて分類され、その分類名、例えば“用紙メニュー”と、その内容群、例えば“用紙サイズ１”、“用紙タイプ１”などが格納されている場所を、その先頭０ｘＡＡＡＡ００００からの相対位置“０ｘ２００”を関連付けて管理する。相対位置“０ｘ２００”の位置には上記内容名と、その選択肢群の位置がやはり先頭０ｘＡＡＡＡ００００からの相対位置で示される。例えば相対位置“０ｘ２１０”の場所には用紙サイズの選択肢群、例えば“Ａ３、“Ｂ４”・・・と示されている。
【００８７】
ここで、入力可能情報の分類名の末端に１つ接続装置の入力可能情報格納部の場所を用意しておき（図中の１７０１）、前述のステップＳ４０９のようにスキャナ装置３００の入力可能情報格納部３０２の場所を取得した際に、本領域に関する参照先領域（図中の１７０２）にスキャナ装置の入力可能情報の先頭の場所を格納する。これにより、印刷装置３１０の入力可能情報に続いてスキャナ装置３００の入力可能情報も印刷装置３１０の表示部１１６および操作部１１７を通して確認・選択可能となる。
【００８８】
上記ステップＳ４０７にて表示部の選択不要と判断された場合は、この接続装置の入力可能情報の先頭を格納しないため、それぞれの表示部および操作部から確認・選択されることもなくなる。
【００８９】
次に、印刷装置３１０にてスキャナ装置３００の入力可能情報を入力することを例に上げて実際の入力情報に関する動作について説明する。
図１６は、印刷装置の表示部及び操作部の説明図である。
図中の１８０１〜１８０５は操作Ｋｅｙ、また１８０６は表示部を示す。
図１７は、他装置の仕様決定の動作を示すフローチャートである。
【００９０】
ステップＳ５０１
まず装置使用者が印刷装置３１０の操作部１１７から１８０２または１８０３のＫｅｙを操作して表示部１１６に“スキャナソウチ  メニュー”と表示させ、このとき１８０４Ｋｅｙを操作することによりスキャナ装置３００の入力可能情報の設定モードに入る。
【００９１】
ステップＳ５０２
これにより、以降の入力可能情報はスキャナ装置３００の入力可能情報格納部３０２を参照する。続いて１８０２または１８０３のＫｅｙを操作し該当設定項目が表示されたときに１８０４Ｋｅｙを操作することを該当項目の設定値表示まで繰り返し、設定したい選択肢が表示されたときに１８０４Ｋｅｙを操作する
【００９２】
ステップＳ５０３
印刷装置３１０はこのときの設定値を主制御部１１４でコード化してデータ通信部１２１、１０９を介してスキャナ装置３００の主制御部１０２に送信する。
【００９３】
ステップＳ５０４
スキャナ装置３００の主制御部１０２は該コードに応じて設定コードを該コードに応じて設定しフローを終了する。
【００９４】
以上説明したように、本実施例では、入力可能情報格納部３０２、３１２を備えることによって、実施例１の効果に加えて、一方の装置から他方の装置の特性仕様の決定（例えばスキャナ装置３００から印刷装置３１０の用紙サイズを決定する）が可能になるという効果を得る。
【００９５】
また本実施例では、メッセージを表示する表示部を２つの装置のうちどちらか一方を選択して、選択された一方のみに表示を行い他方は表示をしないようにしたが、選択されなかった方の表示部は通常の装置のメッセージを表示し、情報入力部も通常の装置の情報入力を可能としておいても良い。
【００９６】
また、本実施例では設けなかったが、メッセージの表示部を一方のみにするのではなく、同じ内容のメッセージを両方の表示部に表示しても良い。同時に、情報入力部も両方で互いの入力可能情報の入力を可能にできるように、それぞれの入力可能情報格納部の接続装置用の場所に互いの入力可能情報格納部の先頭を入れて使用しても良い。
【００９７】
また、本実施例では、印刷装置とスキャナ装置の二つの装置が接続された場合を例に挙げたが、装置の接続が３つ以上のとき（表示制御システムを構成している）も同様にし、表示部選択の際の選択肢を装置接続可能状態に応じて設定すれば良い。入力可能情報格納部の接続装置用の領域も１つではなく、同時に接続可能な想定される装置の個数分用意することにより、３つ以上の装置の接続時も１つの装置の情報入力部で操作可能とできる。
【実施例４】
【００９８】
図１８は、実施例４の表示制御装置の構成の機能ブロック図である。
本実施例は、実施例１の表示制御装置とほぼ同様であり、図に示すようにプリンタサーバ１５０を含むネットワーク１４０に印刷装置が複数台接続されている場合に相当する。以下の説明では、印刷装置を２台に限定し、それぞれ印刷装置Ａ、及び印刷装置Ｂとし、これらの印刷装置内部の各構成部分は、実施例１の印刷装置１１０と同様とする。更に、印刷装置Ａの構成部分の符号にはＡを印刷装置Ｂの構成部分の符号にはＢをそれぞれ付記し、その機能は実施例１の印刷装置１１０と全く同様であるものと仮定する。
【００９９】
図中、プリンタサーバ１５０は、ネットワーク中に図示しない装置によって発生した原稿データを適当な印刷装置、例えば印刷装置Ａに割り当てて原稿データを送信するサーバである。印刷装置Ａは、データ通信部１２１Ａを介してプリンタサーバ１５０からの原稿データを受信部１１１Ａが受け取り、画像形成部１１２Ａにて、データ解析し、印刷データに変換し、印刷部１１３Ａにて印刷を行う。以下に、その動作について詳細に説明する。
【０１００】
図１９は、実施例４の表示部を選択する動作を示すフローチャートである。
動作説明の前提条件として、印刷装置Ａと印刷装置Ｂとがネットワーク１４０でプリンタサーバ１５０と接続されている。また、印刷装置Ａの表示部１１６Ａ（図１８）には横１６文字×縦４文字、印刷装置Ｂの表示部１１６Ｂ（図１８）には横２４文字×縦４文字の表示が可能であるものとする。又、印刷装置１１０（図１８）の電源は既に入っているものとする。表示部の選択に関しては、印刷装置Ｂの操作部（操作キー）１１７Ｂ（図１８）から指定して印刷装置Ａ（図１８）の表示部１１６Ａ（図１８）を選択するものとする。又、印刷装置Ｂの電源は既に入っているものとする。以下に表示部を選択する動作について図１８を併用しながらステップＳ６０１からステップＳ６１１までステップ順に説明する。
【０１０１】
ステップＳ６０１
印刷装置Ｂの電源は既に入っているので、使用者によって印刷装置Ａの電源がオンされる。
【０１０２】
ステップＳ６０２
初期画面表示が印刷装置Ａの表示部１１６Ａに行う。このとき印刷装置Ｂの表示部１１６Ｂには、既に初期画面表示が実行されている。
【０１０３】
ステップＳ６０３
装置の接続状況が確認され接続がある場合にはステップＳ６０４へ進み、接続が無い場合にはステップＳ６０６へ進む（ここでは印刷装置Ａと印刷装置Ｂとが接続状態であるので、Ｓ６０４へ進むことになる。）。
【０１０４】
ステップＳ６０４
印刷装置Ａと印刷装置Ｂの両方の表示部１１６Ａ、１１６Ｂに、それぞれの表示制御部１１９Ａ、１１９Ｂによって、表示部の選択を促すメッセージがそれぞれ表示される。ここでその表示例について説明する。
図２０は、印刷装置Ｂでの表示例説明図である。
印刷装置Ａの表示部１１６Ａでの表示例を既に説明した図３に、また、印刷装置Ｂの表示部１１６Ｂでの表示例を図２０に示す。ここでは、表示部の選択は現在使用中の装置「ゲンザイノソウチ」、他の接続されている装置「タノ  ソウチ」、表示する装置を選択しない「センタクフヨウ」の３つのモードから選択可能であり、両図に示すようにそれぞれの装置の操作キーに、表示部選択の意味を割り当てておく。装置使用者は指示されたキーを押下することにより表示部の選択終了とする。また、装置使用者が表示部の選択をしなくても、表示選択を促すメッセージを表示後に一定時間が経過すると表示部の選択終了とする。
【０１０５】
ステップＳ６０５
表示制御部１１９Ａ、１１９Ｂは、装置使用者が表示選択を行ったか、一定時間表示から時間がたつかを判定してステップＳ６０７へ進む。ここでは、一定時間たたず、使用者の選択も行われない場合はステップＳ６０４に戻り処理を繰り返す。表示選択がいずれかの装置から行われた場合は、使用者の選択が行われたと判断し、ステップＳ６０７へ進む。（ここでは、印刷装置Ｂの操作キーから印刷装置Ａの表示部を選択するので、印刷装置ＢのＯＮ−ＬＩＮＥキーが押下される。）
【０１０６】
ステップＳ６０６
表示制御部１１９Ａ、１１９Ｂは、装置接続でないので「センタクフヨウ」を設定してステップＳ６０７へ進む。
【０１０７】
ステップＳ６０７
表示制御部１１９Ａ、１１９Ｂは、選択されたモードを判断し、印刷装置Ｂの表示部１１６Ｂが選択されている場合にはステップＳ６０８へ進む。印刷装置Ａの表示部１１６Ａが選択されている場合にはステップＳ６１０へ進む。「センタクフヨウ」が選択されている場合には、メッセージの送り先の変更を行わないため、印刷装置Ａ、印刷装置Ｂ、それぞれのメッセージが、それぞれの表示部１１６Ａ、１１６Ｂにて表示されるようになる。またステップＳ６０５にて使用者がいずれのモードも選択しなかった場合（表示部にメッセージを表示したあと、選択キーを押下しないまま一定時間経過した場合）は、本実施例では印刷装置Ａの表示部１１６Ａを選択したときと同じとする。更に、ステップＳ６０３にて、接続装置がないと判断された場合は、ステップＳ６０６にて、表示部の選択不要モードと設定し、ステップＳ６０７に進み、以降前述の表示部の選択不要、と判断された場合の動作と同じ動作を行う（ここでは、印刷装置Ａの表示部１１６Ａが選択されているのでステップＳ６１０へ進む。）。
【０１０８】
ステップＳ６０８
表示制御部１１９Ａは、表示部１１６Ａの電流を切断する。
【０１０９】
ステップＳ６０９
表示制御部１１９Ａは、印刷装置Ａの表示メッセージの送り先をデータ通信部１２１Ａに設定する。これにより、印刷装置Ｂの表示部１１６Ｂは、通常の印刷装置の必要なメッセージを通常通り表示し、印刷装置Ａからのメッセージが発生した場合には印刷装置Ａがデータ通信部１２１Ａ、１２１Ｂを通してメッセージを印刷装置Ｂに送信可能なため、印刷装置Ｂの表示部１１６Ｂにてメッセージが表示されることになる。
【０１１０】
ステップＳ６１０
表示制御部１１９Ｂは、表示部１１６Ｂの電流を切断する。
【０１１１】
ステップＳ６１１
表示制御部１１９Ｂは、印刷装置Ｂの表示メッセージの送り先をデータ通信部１２１Ｂに設定する。これにより、印刷装置Ａの表示部１１６Ａは、通常の印刷装置Ａの必要なメッセージを通常通り表示し、印刷装置Ｂからのメッセージが発生した場合には印刷装置Ｂがデータ通信部１２１Ｂを通してメッセージを印刷装置Ａに送信可能なため、印刷装置Ａの表示部１１６Ａにてメッセージが表示されることになる。
【０１１２】
以上説明したように、本実施例によれば、同一機能を有する装置を複数台接続するシステムに於いて、同一機能を有する装置間でも表示部の設定が可能になるという効果を有する。又、本実施例によればメッセージを変換するテーブルを印刷装置Ａと印刷装置Ｂのそれぞれに持つようにし、メッセージ変換部もテーブルと一緒にそれぞれの装置に配したが、メッセージテーブルを例えば図８のように１つにまとめることによりメッセージ変換部も１つにでき、印刷装置Ａまたは印刷装置Ｂまたはプリンタサーバ上のいずれかに配すれば同様の効果が得られる。
【０１１３】
また本実施例では、メッセージを表示する表示部を２つの装置のうちどちらか一方を選択して、選択された一方のみに表示を行い他方は表示をしないようにしたが、選択されなかった方の表示部は通常の装置のメッセージを表示するようにしても良い。また、本実施例では設けなかったが、メッセージの表示部を一方のみにするのではなく、同じ内容のメッセージを両方の表示部に表示しても良い。また、本実施例では、印刷装置Ａと印刷装置Ｂの二つの装置が接続された場合を例に挙げたが、装置の接続が３つ以上のときも同様にし、表示部選択の際の選択肢を装置接続可能状態に応じて設定すれば良い。
【産業上の利用可能性】
【０１１４】
本発明の実施例では、印刷装置とスキャナ装置を用いて説明したが、本発明は表示部を備えたＭＦＰやファクシミリ、複写装置、その他表示部を備えた接続可能な装置にも適用可能である。
【図面の簡単な説明】
【０１１５】
【図１】実施例１の表示制御装置の構成の機能ブロック図である。
【図２】実施例１の表示部を選択する動作を示すフローチャートである。
【図３】印刷装置での表示例説明図である。
【図４】スキャナ装置での表示例説明図である。
【図５】メッセージデータの変換処理手順を示すフローチャートである。
【図６】印刷装置用の変換テーブル説明図である。
【図７】スキャナ装置用の変換テーブル説明図である。
【図８】印刷装置及びスキャナ装置共用の変換テーブルである。
【図９】実施例２の表示制御装置の構成の機能ブロック図である。
【図１０】実施例２の表示部を選択する動作を示すフローチャートである。
【図１１】表示情報格納部２０３の説明図である。
【図１２】表示情報格納部２１３の説明図である。
【図１３】実施例３の表示制御装置の構成の機能ブロック図である。
【図１４】実施例３の表示部を選択する動作を示すフローチャートである。
【図１５】入力可能情報格納部の内容説明図である。
【図１６】印刷装置の表示部及び操作部の説明図である。
【図１７】他装置の仕様決定の動作を示すフローチャートである。
【図１８】実施例４の表示制御装置の構成の機能ブロック図である。
【図１９】実施例４の表示部を選択する動作を示すフローチャートである。
【図２０】印刷装置Ｂでの表示例説明図である。
【符号の説明】
【０１１６】
１００    スキャナ装置
１０１    読取部
１０２    主制御部
１０３    パネル制御部
１０４    表示部
１０５    操作部
１０６    表示選択部
１０７    表示制御部
１０８    メッセージ変換部
１０９    データ通信部
１１０    印刷装置
１１１    受信部
１１２    画像形成部
１１３    印刷部
１１４    主制御部
１１５    パネル制御部
１１６    表示部
１１７    操作部
１１８    表示選択部
１１９    表示制御部
１２０    メッセージ変換部
１２１    データ通信部
１３０    コンピュータ
１３５    ＵＳＢ接続部
【図１】
2008141375.tif 000003
【図２】
2008141375.tif 000004
【図３】
2008141375.tif 000005
【図４】
2008141375.tif 000006
【図５】
2008141375.tif 000007
【図６】
2008141375.tif 000008
【図７】
2008141375.tif 000009
【図８】
2008141375.tif 000010
【図９】
2008141375.tif 000011
【図１０】
2008141375.tif 000012
【図１１】
2008141375.tif 000013
【図１２】
2008141375.tif 000014
【図１３】
2008141375.tif 000015
【図１４】
2008141375.tif 000016
【図１５】
2008141375.tif 000017
【図１６】
2008141375.tif 000018
【図１７】
2008141375.tif 000019
【図１８】
2008141375.tif 000020
【図１９】
2008141375.tif 000021
【図２０】
2008141375.tif 000022